(57)【特許請求の範囲】
【請求項１】
前後胴周り域と股下域とを有する物品本体が前記前後胴周り域を締結するためのテープファスナを備え、前記テープファスナが、その長手方向に前記後胴周り域の側縁部に位置して前記本体に固着された内端部と、前記後胴周り域の側縁部から前記本体の幅方向外方へ延出する外端部とを有し、前記外端部が、その内面に前記前胴周り域の受止域に対する着脱可能な係合域を有する着用物品において、
前記テープファスナが、前記外端部と直交するように該外端部の外面から外方へ延出する摘持可能なタブを有し、前記タブが、前記外端部の一部分を前記物品本体の幅方向へ折曲して前記一部分の内面どうしを重ね合わせるとともに、互いに重なり合う前記一部分の内面どうしを接着剤を介して固着することで作られ、前記テープファスナの外端部が、前記物品本体の幅方向内方へ折曲されて前記係合域を介して前記後胴周り域の側縁部に形成された離型域に剥離可能に仮着されていることを特徴とする前記物品。
【請求項２】
前記タブが、前記外端部の先端をわずかに残した位置に形成され、前記係合域が、前記外端部における前記タブの基端部と前記内端部の側に位置する前記外端部の後端との間の部分に形成されている請求項１記載の物品。
【発明の詳細な説明】
【０００１】
【発明の属する技術分野】
本発明は、前後胴周り域を締結するためのテープファスナを備えた使い捨ておむつやおむつカバー等の着用物品に関する。
【０００２】
【従来の技術】
おむつ本体の前後胴周り域を締結するためのテープファスナを有するおむつは公知である。テープファスナは、その内端部が本体の後胴周り域の側縁部に固着され、その外端部が本体の幅方向内方へ折り返されて、後胴周り域の側縁部に形成された離型域に剥離可能に仮着されている。このようなおむつは、特開昭６０−１１９９４４号公報、特開昭６２−２４３８０３号公報、特開昭６２−２４３８０４号公報等に開示されている。
【０００３】
おむつの着用時には、テープファスナの外端部が離型域から剥がされ、外端部に形成された粘着域が本体の前胴周り域外面に取り付けられたターゲットテープ等の受止域に止着される。外端部は、その先端部に粘着剤を塗布していない非粘着性の摘持部（タブ）が形成されており、このタブを持って受止域に対する着脱操作が行われる。
【０００４】
【発明が解決しようとする課題】
テープファスナの外端部の内面における粘着域（係合域）を離型域から剥がすときは、通常、タブの外面に人差指を、かつ、タブの内面に親指を当接してタブを摘持する。しかし、タブは、テープファスナの他の面域に比較してかなり小さいので、そのように摘持するとき、タブに隣接する粘着域に親指が接触することがある。親指が粘着域に接触すると、親指の脂が粘着域に付着して粘着力を低下させる場合がある。
【０００５】
一方、テープファスナの粘着域を受止域に止着するときは、通常、前述同様にタブを摘持した状態で、タブに隣接する粘着域の一部を受止域に止着した後、摘持状態でテープファスナのおむつ本体に対する連結部の側へ人差指、中指等を反転し、これらの背側で粘着域の全体を受止域に対して加圧して止着するか、または、タブから人差指と親指とを離し、これら指および他の指のいずれかの腹側で前記同様に止着する。このように、タブの摘持状態から止着動作へ移るには、人差指や中指等を反転したり、タブから一旦人差指と親指とを離したりする必要がある。
【０００６】
本発明の課題は、受止域に対するテープファスナの着脱操作において、上述した動作が不必要な使い捨ておむつを提供することにある。
【０００７】
【課題を解決するための手段】
前述した課題を解決するための本発明は、前後胴周り域と股下域とを有する物品本体が前記前後胴周り域を締結するためのテープファスナを備え、前記テープファスナが、その長手方向に前記後胴周り域の側縁部に位置して前記本体に固着された内端部と、前記後胴周り域の側縁部から前記本体の幅方向外方へ延出する外端部とを有し、前記外端部が、その内面に前記前胴周り域の受止域に対する着脱可能な係合域を有する着用物品の前記テープファスナを改良することにある。
【０００８】
本発明が特徴とするところは、前記テープファスナが、前記外端部と直交するように該外端部の外面から外方へ延出する摘持可能なタブを有し、前記タブが、前記外端部の一部分を前記物品本体の幅方向へ折曲して前記一部分の内面どうしを重ね合わせるとともに、互いに重なり合う前記一部分の内面どうしを接着剤を介して固着することで作られ、前記テープファスナの外端部が、前記物品本体の幅方向内方へ折曲されて前記係合域を介して前記後胴周り域の側縁部に形成された離型域に剥離可能に仮着されていることにある。
【０００９】
本発明の構成態様として、前記タブが、前記外端部の先端をわずかに残した位置に形成され、前記係合域が、前記外端部における前記タブの基端部と前記内端部の側に位置する前記外端部の後端との間の部分に形成されている。
【００１０】
【００１１】
【００１２】
【発明の実施の形態】
添付の図面を参照し、本発明に係る着用物品の実施の形態を使い捨ておむつを例として説明すると、以下のとおりである。
【００１３】
図１，２は、使い捨ておむつ１の部分破断平面図と、図１のおむつ１が着用状態にあるときの斜視図とである。図２では、テープファスナ１４の外端部１４ａがターゲットテープ１３に係合した状態を示す。おむつ１は、透液性トップシート２と不透液性バックシート３との間に砂時計型の吸液性コア４が介在するおむつ本体１Ａと、本体１Ａに取り付けられた一対のテープファスナ１４とで構成されている。おむつ１は、幅方向と交差する長手方向に前胴周り域２０と、後胴周り域２２と、これら前後胴周り域２０，２２の間に位置する股下域２１とを有する。本体１Ａの後胴周り域側縁部１５には、本体１Ａの幅方向内方へ折曲されたテープファスナ１４の外端部１４ａが剥離可能に仮着されている。
【００１４】
本体１Ａの前胴周り域２０には、図２に示すように、テープファスナ１４の外端部１４ａに対する受止域として、バックシート３の外面に前胴周り域２０の幅方向へ延びる合成樹脂フィルム製の矩形のターゲットテープ１３が取り付けられている。テープファスナ１４をターゲットテープ１３に止着して前後胴周り域２０，２２を締結すると、おむつ１に胴周り開口１１と一対の脚周り開口１２とが形成される。
【００１５】
本体１Ａの前後胴周り域２０，２２には、前後胴周り域２０，２２の端縁９，１０に沿って幅方向へ延びる胴周り用弾性伸縮性部材７，８が収縮可能に取り付けられている。胴周り用弾性伸縮性部材７，８は、トップシート２とバックシート３との間に介在し、これらシート２，３のうちの少なくとも一方の内面に伸長状態で固着されている。
【００１６】
股下域２１の両側縁部には、本体１Ａの幅方向内方へ向かって脚周り用凹欠部５が形成されている。凹欠部５には、凹欠縁に沿って脚周り用弾性部材６が収縮可能に取り付けられている。脚周り用弾性部材６は、トップシート２とバックシート３との間に介在し、これらシート２，３のうちの少なくとも一方の内面に伸長状態で固着されている。
【００１７】
コア４は、トップシート２とバックシート３とのうちの少なくとも一方の内面に固着されている。
【００１８】
図３は、図１のＡ−Ａ線断面図であり、本体１Ａの後胴周り域２２の側縁部１５から幅方向外方へ延出するテープファスナ１４の外端部１４ａを仮想線で示す。テープファスナ１４は、その長手方向に後胴周り域２２の側縁部１５に位置する内端部１４ｂと、後胴周り域２２の側縁部１５から本体１Ａの幅方向外方へ延出する外端部１４ａとを有する。外端部１４ａは、本体１Ａの幅方向内方へ折曲されている。
【００１９】
テープファスナ１４の内端部１４ｂは、本体１Ａの後胴周り域２２の側縁部１５におけるトップシート２の外面に位置し、接着剤３２を介してトップシート２に固着されている。
【００２０】
テープファスナ１４の外端部１４ａには、摘持可能なタブ１６が形成されている。タブ１６は、外端部１４ａの先端１４ｄをわずかに残した位置に形成され、外端部１４ａと直交するように外端部１４ａの外面から外方（トップシート２の上方）へ延出している。タブ１６は、外端部１４ａの一部分を本体１Ａの幅方向へ折曲して一部分の内面どうしを重ね合わせるとともに、互いに重なり合う一部分の内面どうしを接着剤３３を介して固着することで作られている。タブ１６の基端部１６ａから上端部１６ｂまでの高さは、好ましくは、５〜３０ｍｍの範囲、より好ましくは、１０〜２０ｍｍの範囲である。
【００２１】
外端部１４ａの内面には、本体１Ａの前胴周り域２０の外面に対する着脱可能な係合域Ｖが形成されている。係合域Ｖは、外端部１４ａにおけるタブ１６の基端部１６ａから内端部１４ｂの側に位置する外端部１４ａの後端１４ｃへ至る部分に形成されている。係合域Ｖは、テープファスナ１４のターゲットテープ１３に対する係合を維持できるのであれば、基端部１６ａと外端部１４ａの後端１４ｃとの間に、間欠的または部分的に形成されていてもよい。
【００２２】
本体１Ａの幅方向内方へ折曲された外端部１ａは、係合域Ｖに塗布された粘着剤１８を介し、内端部１４ｂと外端部１４ａとの間に介在する合成樹脂フィルム片からなる離型域１７に剥離可能に仮着されている。離型域１７は、内端部１４ｂに接着剤３０を介して固着されている。
【００２３】
コア４の周縁から外方へ延出しているトップシート２とバックシート３とは、接着剤３１を介して固着されている。これら部材は、ホットメルト接着剤による接着の他に、ヒートシールまたはソニックシール等の技術を用いて接合することもできる。
【００２４】
テープファスナ１４を離型域１７から剥がすには、人差指と親指とでタブ１６を摘み、タブ１６を本体１Ａの幅方向外方へ引っ張る。テープファスナ１４の係合域Ｖは、タブ１６の基端部１６ａから折曲部１４ｃへ向かって次第に剥がれる。
【００２５】
図４〜図８は、図３とは異なる構成のテープファスナ１４の断面図である。図４に示すテープファスナ１４は、係合域Ｖが外端部１４ａの先端１４ｄをわずかに残した位置から外端部１４ａの後端１４ｃ近傍へ至る部分に形成されている。このテープファスナ１４は、指を反転させることなく、タブ１６を摘持しながら人差指と親指とで係合域Ｖをターゲットテープ１３に対して加圧し係合させることができる。
【００２６】
図５に示すテープファスナ１４は、タブ１６がテープファスナ１４の外端部１４ａの先端に形成されている。このテープファスナ１４は、外端部１４ａの内面のほぼ全域が係合域Ｖとなっているので、外端部１４ａのほぼ全域をターゲットテープ１３に係合させることができる。
【００２７】
図６と図７とに示すテープファスナ１４は、第１シートＳ１と第２シートＳ２とを積層し、これらを互いに熱融着したラミネートシートで形成されている。
【００２８】
図６では、第１シートＳ１の内端部１４ｂがトップシート２とバックシート３との間に位置してこれらシート２，３に接着剤３２を介して固着され、第２シートＳ２の内端部１４ｂがトップシート２の外面に位置して接着剤３２を介してトップシート２に固着されている。係合域Ｖは、外端部１４ａの先端１４ｄをわずかに残した位置から外端部１４ａの後端１４ｃ近傍へ至る部分に形成されている。
【００２９】
図７では、第１シートＳ１の内端部１４ｂがトップシート２の外面に位置し、第２シートＳ２の内端部１４ｂがバックシート３の外面に位置し、内端部１４ｂがこれらシート２，３に接着剤３２を介して固着されている。係合域Ｖは、外端部１４ａにおけるタブ１６の基端部１６ａから外端部１４ａの後端１４ｃ近傍へ至る部分に形成されている。
【００３０】
図６と図７とにおいて、テープファスナ１４の外端部１４ａは、第２シートＳ２を内側にして本体１Ａの幅方向内方へ折曲されている。外端部１４ａの外面には、摘持可能なタブ１６が形成されている。タブ１６は、外端部１４ａの先端１４ｄをわずかに残した位置に形成され、外端部１４ａと直交するように外端部１４ａの外面から外方（トップシート２の上方）へ延出している。タブ１６は、外端部１４ａの一部分を本体１Ａの幅方向へ折曲して一部分の内面どうしを重ね合わせるとともに、互いに重なり合う一部分の内面どうしを接着剤３３を介して固着することで作られている。
【００３１】
第２シートＳ２の内端部１４ｂの外面には、シリコン樹脂を塗布した離型域１７が形成されている。係合域Ｖは、粘着剤１８を介して後胴周り域２２の側縁部１５における第２シートＳ２の内端部１４ｂに剥離可能に仮着されている。図５と図６とに示すおむつ１は、本体１Ａに対するテープファスナ１４の固定強度を向上させることができる。
【００３２】
図８に示すテープファスナ１４は、タブ１６がテープファスナ１４と一体に成型されている。タブ１６は、テープファスナ１４の外端部１４ａの先端１４ｄ近傍に形成され、外端部１４ａと直交するように外端部１４ａの外面から外方（トップシート２の上方）へ延出している。このテープファスナ１４は、図３のテープファスナ１４と比較して、テープファスナ１４の外端部１４ａの一部分を折曲して重ね合わせ、互いに重なり合う一部分の内面どうしを接着剤３３を介して固着するという手間を省くことができる。また、外端部１４ａの先端１４ｄ近傍には、別部材からなるタブ１６を別途取り付けることもできる。
【００３３】
テープファスナ１４には、合成樹脂フィルム、クラフト紙や不織布の単独または組み合わせ（ラミネートシート）を使用することができる。そのラミネートシートとしては、第１シートＳ１に不織布を使用し、第２シートＳ２に合成樹脂フィルムやクラフト紙を使用することができる。
【００３４】
係合域Ｖには、粘着剤を塗布することの他に、メカニカルファスナのうちのフック部材またはループ部材のいずれか一方を使用し、トップシート２の外面と離型域１７とには、それら部材の他方を使用することもできる。
【００３５】
トップシート２には、疎水性不織布を親水化剤で処理したものや親水化剤を練り込んだ繊維で形成した親水性不織布が用いられる。これら不織布に代えて開孔を有する熱可塑性合成樹脂フィルムを用いることもできる。
【００３６】
バックシート３には、合成樹脂フィルムまたは合成樹脂フィルムと疎水性不織布とのラミネートシート等が用いられる。コア４は、フラッフパルプと高吸収性ポリマー粒子との混合物であり、所要の厚みに圧縮され、全体がティシュペーパ等の透液性シートによって被覆されている。
【００３７】
図示はしていないが、離型域１７は、テープファスナ１４自体の内側に係合域Ｖと隣接して形成され、または、本体１Ａやテープファスナ１４とは独立して形成された離型片であってもよい。係合域Ｖがメカニカルファスナのうちのフック部材またはループ部材のいずれかである場合には、離型域が不要であることはいうまでもない。
【００３８】
以上の説明は、使い捨ておむつに関するが、この発明は、おむつカバー等にも適用することができる。
【００３９】
【発明の効果】
本発明に係る着用物品によれば、テープファスナに形成されたタブがテープファスナの外端部と直交するように外端部の外面から外方へ延出しているので、タブの摘持動作やテープファスナの係合域の離型域や受止域に対する着脱操作が容易である。また、タブを指先で摘持するとき、係合域に指先が接触することによる支障、たとえば、係合域が粘着剤で形成されている場合、指の脂が粘着域に付着してその粘着力が低下することはなく、係合域がメカニカルファスナのフック部材で形成されている場合、指に不快な刺激を与えたりすることがない。
【００４０】
係合域を受止域に係合するときは、たとえば、タブを人差指と親指とで摘持した状態のままで、換言すると、従来技術のように人差指や中指を反転したり、タブからこれを摘持する人差指と親指とを一旦離したりすることなく、それら指で係合域を受止域に対して加圧し係合することができ、極めて簡便である。
【図面の簡単な説明】
【図１】使い捨ておむつの部分破断平面図。
【図２】着用状態にある図１のおむつの斜視図。
【図３】図１のおむつのＡ−Ａ線断面図。
【図４】図３とは異なる態様のテープファスナの断面図。
【図５】図３とは異なる態様のテープファスナの断面図。
【図６】図３とは異なる態様のテープファスナの断面図。
【図７】図３とは異なる態様のテープファスナの断面図。
【図８】図３とは異なる態様のテープファスナの断面図。
【符号の説明】
１        使い捨ておむつ
１Ａ      本体
２        透液性トップシート
３        不透液性バックシート
４        吸液性コア
１４        テープファスナ
１４ａ      外端部
１４ｂ      内端部
１４ｃ      後端
１４ｄ      先端
１５        後胴周り域側縁部
１６        タブ
１６ａ      基端部
２０        前胴周り域
２２        後胴周り域
Ｖ        係合域
【図１】
0003541133.tif 000002
【図２】
0003541133.tif 000003
【図３】
0003541133.tif 000004
【図４】
0003541133.tif 000005
【図５】
0003541133.tif 000006
【図６】
0003541133.tif 000007
【図７】
0003541133.tif 000008
【図８】
0003541133.tif 000009